(57)【要約】【課題】警備先で発生した警報や警報に対応して出動する隊員に対して監視員が適切な対応や指示を与えることができる監視センタ、監視方法、および監視プログラムを提供する。【解決手段】信号受信部１０１は、警備装置２００から送信される警備先の状態を示す信号を受信し、メッセージ決定部１０５は、信号の種別と、信号を送信した警備先に対応する警備先と現在の警備先の状態とを対応付けて記憶する警備先状態データベース１１０に記憶された現在の警備先の状態とに基づいて、信号の種別と、メッセージを出力するか否かを判断するための判断条件と、出力メッセージとを対応付けて記憶する判断条件データベース１３０およびメッセージデータベース１４０を参照し、出力するメッセージを決定し、メッセージ出力部１０６は、メッセージを出力する。【選択図】        図１
2007183753.tif 000002
【特許請求の範囲】
【請求項１】
警備先に設置され、前記警備先の状態を示す警備状態信号を送信する警備装置とネットワークを介して接続された監視センタにおいて、
前記警備先を特定する警備先識別情報と、現在の警備先の状態の情報とを対応付けた警備先状態情報を記憶する状態記憶手段と、
前記警備状態信号の種別と、メッセージを出力するか否かを判断するための判断条件情報と、メッセージとを対応付けた判断条件情報を記憶する条件記憶手段と、
前記警備装置から送信された前記警備状態信号を受信する信号受信手段と、
前記条件記憶手段から、前記信号受信手段によって受信された前記警備状態信号の種別と、前記状態記憶手段に記憶された前記警備先状態情報とに基づいて、前記メッセージを決定するメッセージ決定手段と、
前記メッセージ決定手段によって決定された前記メッセージを出力するメッセージ出力手段と、
を備えることを特徴とする監視センタ。
【請求項２】
前記警備先識別情報と、警備先と予め定められた警備に関する情報とを対応付けた警備先マスタ情報を記憶するマスタ記憶手段、をさらに備え、
前記メッセージ決定手段は、さらに前記条件記憶手段から、前記信号受信手段によって受信された前記警備状態信号の種別と、前記状態記憶手段に記憶された前記警備先状態情報と、前記マスタ記憶手段に記憶された前記警備先マスタ情報とに基づいて、前記メッセージを決定すること、を特徴とする請求項１に記載の監視センタ。
【請求項３】
警備先に設置され、前記警備先の状態を示す警備状態信号を送信する警備装置とネットワークを介して接続された監視センタにおいて、
前記警備先を特定する警備先識別情報と現在の警備状態と退館予定時間とを対応付けた警備先状態情報を記憶する状態記憶手段と、
前記警備状態信号の種別と、メッセージを出力するか否かを判断するための判断条件と、メッセージとを対応付けた判断条件情報を記憶する条件記憶手段と、
前記警備装置から送信された前記警備状態信号を受信する信号受信手段と、
前記信号受信手段によって受信された前記警備状態信号が前記現在の警備状態の変更を示す場合に、前記状態記憶手段に記憶された前記現在の警備状態を変更する状態判定手段と、
前記状態記憶手段に記憶された前記退館予定時間となった際に、前記条件記憶手段から、前記状態記憶手段に記憶された前記現在の警備状態に基づいて、前記メッセージを決定するメッセージ決定手段と、
前記メッセージ決定手段によって決定された前記メッセージを出力するメッセージ出力手段と、
を備えることを特徴とする監視センタ。
【請求項４】
警備先に出動した隊員の状態を示す隊員状態信号を送信する携帯端末とネットワークを介して接続された監視センタにおいて、
前記警備先を特定する警備先識別情報と、現在の警備先の状態とを対応付けた警備先状態情報を記憶する状態記憶手段と、
前記隊員状態信号の種別と、メッセージを出力するか否かを判断するための判断条件と、メッセージとを対応付けた判断条件情報を記憶する条件記憶手段と、
前記携帯端末から送信された前記隊員状態信号を受信する信号受信手段と、
前記条件記憶手段から、前記信号受信手段によって受信された前記隊員状態信号の種別と、前記状態記憶手段に記憶された前記警備先状態情報とに基づいて、前記メッセージを決定するメッセージ決定手段と、
前記メッセージ決定手段によって決定された前記メッセージを出力するメッセージ出力手段と、
を備えることを特徴とする監視センタ。
【請求項５】
前記信号受信手段によって前記隊員状態信号が受信された時点からの経過時間を計測する経過時間計測手段、をさらに備え、
前記メッセージ決定手段は、さらに前記経過時間計測手段によって計測された前記経過時間が予め定められた所定の時間を経過した場合に、前記条件記憶手段から、前記信号受信手段によって受信された前記隊員状態信号の種別と、前記状態記憶手段に記憶された前記警備先状態情報に基づいて、前記メッセージを決定することを特徴とする請求項４に記載の監視センタ。
【請求項６】
前記メッセージ出力手段によって出力された前記メッセージに既読である旨の情報を設定するメッセージ確認手段、をさらに備え、
前記状態記憶手段は、前記警備先識別情報と出動隊員の有無と現在の警備状態とを対応付けた警備先状態情報を記憶し、
前記信号受信手段によって前記隊員の出動の原因の報告が完了した状態を示す原因信号を受信した際に、前記状態記憶手段に記憶された前記出動隊員の有無が無であり、かつ、前記状態記憶手段に記憶された前記現在の警備状態が警備であり、かつ、前記メッセージ確認手段によって前記メッセージがすべて既読であると設定された場合に、前記警備先に対する事案が落着したと判定する落着判定手段と、
前記落着判定手段によって前記事案の落着が確認された場合に、事案を表示する画面上から当該事案を消去する事案消去手段と、をさらに備えることを特徴とする請求項１〜５のいずれか一つに記載の監視センタ。
【請求項７】
前記落着判定手段は、さらに前記事案に対する警報を示す警報信号がすべて復旧状態であり、かつ、前記信号受信手段によって受信された前記警備先状態信号が所定の種別の信号であり、かつ、当該事案の警備先の警備領域を分割したサブアドレスに対応する事案が存在しない場合に、前記警備先に対する事案が落着したと判定することを特徴とする請求項１〜６のいずれか一つに記載の監視センタ。
【請求項８】
警備装置から送信された警備先の状態を示す警備状態信号を受信する信号受信ステップと、
前記警備状態信号の種別と、メッセージを出力するか否かを判断するための判断条件情報と、メッセージとを対応付けた判断条件情報を記憶する条件記憶手段から、前記信号受信ステップによって受信された前記警備状態信号の種別と、前記警備先を特定する警備先識別情報と現在の警備先の状態の情報とを対応付けた警備先状態情報を記憶する状態記憶手段に記憶された警備先状態情報とに基づいて、前記メッセージを決定するメッセージ決定ステップと、
前記メッセージ決定ステップによって決定された前記メッセージを出力するメッセージ出力ステップと、
を有することを特徴とする監視方法。
【請求項９】
警備装置から送信された警備先の状態を示す警備状態信号を受信する信号受信ステップと、
前記信号受信ステップによって受信された前記警備状態信号が前記現在の警備状態の変更を示す場合に、前記警備先を特定する警備先識別情報と現在の警備状態と退館予定時間とを対応付けた警備先状態情報を記憶する状態記憶手段に記憶された前記現在の警備状態を変更する状態判定ステップと、
前記状態記憶手段に記憶された前記退館予定時間となった際に、前記警備状態信号の種別と、メッセージを出力するか否かを判断するための判断条件と、メッセージとを対応付けた判断条件情報を記憶する条件記憶手段から、前記状態記憶手段に記憶された前記現在の警備状態に基づいて、前記メッセージを決定するメッセージ決定ステップと、
前記メッセージ決定ステップによって決定された前記メッセージを出力するメッセージ出力ステップと、
を有することを特徴とする監視方法。
【請求項１０】
警備先に出動した隊員の状態を示す隊員状態信号を送信する携帯端末から送信される前記隊員状態信号を受信する信号受信ステップと、
前記隊員状態信号の種別と、メッセージを出力するか否かを判断するための判断条件と、メッセージとを対応付けた判断条件情報を記憶する条件記憶手段から、前記信号受信ステップによって受信された前記隊員状態信号の種別と、前記警備先を特定する警備先識別情報と現在の警備先の状態とを対応付けた警備先状態情報を記憶する状態記憶手段に記憶された前記警備先状態情報とに基づいて、前記メッセージを決定するメッセージ決定ステップと、
前記メッセージ決定ステップによって決定された前記メッセージを出力するメッセージ出力ステップと、
を有することを特徴とする監視方法。
【請求項１１】
請求項８〜１０のいずれか一つに記載された監視方法をコンピュータに実行させることを特徴とする監視プログラム。
【発明の詳細な説明】
【技術分野】
【０００１】
本発明は、監視センタ、監視方法、および監視プログラムに関するものであり、特に監視員による監視を補助する技術に関するものである。
【背景技術】
【０００２】
従来、監視領域においてセンサが異常を検知した場合に、監視センタに警報を送信する警備装置が一般に知られている。かかる警備装置において、警報の原因を確認するために隊員が出動し、警備先の敷地内で何らかの異状を発見した場合に、警備車両に無線通信装置が搭載してあると迅速に監視センタに通報することが困難であるという問題があった。また、隊員が携帯電話を所持していた場合でも、侵入者の抵抗に遭い負傷して声が出せないような状況では監視センタへの通報が困難であるという問題があった。
【０００３】
このような問題を解決するものとして、隊員が異状を発見した場合に、隊員が携帯する端末器のボタンを押下することにより、監視センタに警察や消防等への通報要請信号が送信される警備装置が開示されている（特許文献１参照）。
【０００４】
【特許文献１】特許第３０１６０３８号公報
【発明の開示】
【発明が解決しようとする課題】
【０００５】
上記特許文献１によって、警備先において隊員が異状を発見し、かつ、端末器の操作が可能である場合には、監視センタに通報要請信号が送信されることにより、警察や消防等への通報が可能となる。しかしながら、隊員が侵入者に襲われ端末器の操作が不可能な状態に陥った場合、監視センタで警報発生からの対応をモニタで監視している監視員がこれまでの経験に基づいて状況を判断し、消防や警察等への通報を行っていたが、監視員個人の経験に追うところが大きく、監視員によって対応が異なることがあった。
【０００６】
また、監視員は担当する地区全体で発生した警報について、監視モニタで状況を把握し、隊員への指示や確認作業を行うが、短時間に発生する複数の警報に対する指示や確認作業を的確に行うためには相当の経験が必要であり、経験が少ない監視員が適切なタイミングで適切な指示や確認作業を行うことは困難であった。
【０００７】
本発明は、上記に鑑みてなされたものであって、警備先で発生した警報や警報に対応して出動する隊員に対して監視員が適切な対応や指示を与えることができる監視センタ、監視方法、および監視プログラムを提供することを目的とする。
【課題を解決するための手段】
【０００８】
上述した課題を解決し、目的を達成するために、請求項１にかかる発明は、警備先に設置され、前記警備先の状態を示す警備状態信号を送信する警備装置とネットワークを介して接続された監視センタにおいて、前記警備先を特定する警備先識別情報と現在の警備先の状態の情報とを対応付けた警備先状態情報を記憶する状態記憶手段と、前記警備状態信号の種別と、メッセージを出力するか否かを判断するための判断条件情報と、メッセージとを対応付けた判断条件情報を記憶する条件記憶手段と、前記警備装置から送信された前記警備状態信号を受信する信号受信手段と、前記条件記憶手段から、前記信号受信手段によって受信された前記警備状態信号の種別と、前記状態記憶手段に記憶された前記警備先状態情報とに基づいて、前記メッセージを決定するメッセージ決定手段と、前記メッセージ決定手段によって決定された前記メッセージを出力するメッセージ出力手段と、を備えることを特徴とする。
【０００９】
また、請求項２にかかる発明は、前記警備先識別情報と警備先と予め定められた警備に関する情報とを対応付けた警備先マスタ情報を記憶するマスタ記憶手段、をさらに備え、前記メッセージ決定手段は、さらに前記条件記憶手段から、前記信号受信手段によって受信された前記警備状態信号の種別と、前記状態記憶手段に記憶された前記警備先状態情報と、前記マスタ記憶手段に記憶された前記警備マスタ情報とに基づいて、前記メッセージを決定すること、を特徴とする。
【００１０】
また、請求項３にかかる発明は、警備先に設置され、前記警備先の状態を示す警備状態信号を送信する警備装置とネットワークを介して接続された監視センタにおいて、前記警備先を特定する警備先識別情報と現在の警備状態と退館予定時間とを対応付けた警備先状態情報を記憶する状態記憶手段と、前記警備状態信号の種別と、メッセージを出力するか否かを判断するための判断条件と、メッセージとを対応付けた判断条件情報を記憶する条件記憶手段と、前記警備装置から送信された前記警備状態信号を受信する信号受信手段と、前記信号受信手段によって受信された前記警備状態信号が前記現在の警備状態の変更を示す場合に、前記状態記憶手段に記憶された前記現在の警備状態を変更する状態判定手段と、前記状態記憶手段に記憶された前記退館予定時間となった際に、前記条件記憶手段から、前記状態記憶手段に記憶された前記現在の警備状態に基づいて、前記メッセージを決定するメッセージ決定手段と、前記メッセージ決定手段によって決定された前記メッセージを出力するメッセージ出力手段と、を備えることを特徴とする。
【００１１】
また、請求項４にかかる発明は、警備先に出動した隊員の状態を示す隊員状態信号を送信する携帯端末とネットワークを介して接続された監視センタにおいて、前記警備先を特定する警備先識別情報と現在の警備先の状態とを対応付けた警備先状態情報を記憶する状態記憶手段と、前記隊員状態信号の種別と、メッセージを出力するか否かを判断するための判断条件と、メッセージとを対応付けた判断条件情報を記憶する条件記憶手段と、前記携帯端末から送信された前記隊員状態信号を受信する信号受信手段と、前記条件記憶手段から、前記信号受信手段によって受信された前記隊員状態信号の種別と、前記状態記憶手段に記憶された前記警備先状態情報とに基づいて、前記メッセージを決定するメッセージ決定手段と、前記メッセージ決定手段によって決定された前記メッセージを出力するメッセージ出力手段と、を備えることを特徴とする。
【００１２】
また、請求項５にかかる発明は、請求項４に記載の監視センタにおいて、前記信号受信手段によって前記隊員状態信号が受信された時点からの経過時間を計測する経過時間計測手段、をさらに備え、前記メッセージ決定手段は、さらに前記経過時間計測手段によって計測された前記経過時間が予め定められた所定の時間を経過した場合に、前記条件記憶手段から、前記信号受信手段によって受信された前記隊員状態信号の種別と、前記状態記憶手段に記憶された前記警備先状態情報に基づいて、前記メッセージを決定することを特徴とする。
【００１３】
また、請求項６にかかる発明は、請求項１〜５のいずれか一つに記載の監視センタにおいて、前記メッセージ出力手段によって出力された前記メッセージに既読である旨の情報を設定するメッセージ確認手段、をさらに備え、前記状態記憶手段は、前記警備先識別情報と出動隊員の有無と現在の警備状態とを対応付けた警備先状態情報を記憶し、前記信号受信手段によって前記隊員の出動の原因の報告が完了した状態を示す原因信号を受信した際に、前記状態記憶手段に記憶された前記出動隊員の有無が無であり、かつ、前記状態記憶手段に記憶された前記現在の警備状態が警備であり、かつ、前記メッセージ確認手段によって前記メッセージがすべて既読であると設定された場合に、前記警備先に対する事案が落着したと判定する落着判定手段と、前記落着判定手段によって前記事案の落着が確認された場合に、事案を表示する画面上から当該事案を消去する事案消去手段と、をさらに備えることを特徴とする。
【００１４】
また、請求項７にかかる発明は、請求項１〜６のいずれか一つに記載の監視センタにおいて、前記落着判定手段は、さらに前記事案に対する警報を示す警報信号がすべて復旧状態であり、かつ、前記信号受信手段によって受信された前記警備先状態信号が所定の種別の信号であり、かつ、当該事案の警備先の警備領域を分割したサブアドレスに対応する事案が存在しない場合に、前記警備先に対する事案が落着したと判定することを特徴とする。
【００１５】
また、請求項８にかかる発明は、警備装置から送信された警備先の状態を示す警備状態信号を受信する信号受信ステップと、前記警備状態信号の種別と、メッセージを出力するか否かを判断するための判断条件情報と、メッセージとを対応付けた判断条件情報を記憶する条件記憶手段から、前記信号受信ステップによって受信された前記警備状態信号の種別と、前記警備先を特定する警備先識別情報と現在の警備先の状態の情報とを対応付けた警備先状態情報を記憶する状態記憶手段に記憶された警備先状態情報とに基づいて、前記メッセージを決定するメッセージ決定ステップと、前記メッセージ決定ステップによって決定された前記メッセージを出力するメッセージ出力ステップと、を有することを特徴とする。
【００１６】
また、請求項９にかかる発明は、警備装置から送信された警備先の状態を示す警備状態信号を受信する信号受信ステップと、前記信号受信ステップによって受信された前記警備状態信号が前記現在の警備状態の変更を示す場合に、前記警備先を特定する警備先識別情報と現在の警備状態と退館予定時間とを対応付けた警備先状態情報を記憶する状態記憶手段に記憶された前記現在の警備状態を変更する状態判定ステップと、前記状態記憶手段に記憶された前記退館予定時間となった際に、前記警備状態信号の種別と、メッセージを出力するか否かを判断するための判断条件と、メッセージとを対応付けた判断条件情報を記憶する条件記憶手段から、前記状態記憶手段に記憶された前記現在の警備状態に基づいて、前記メッセージを決定するメッセージ決定ステップと、前記メッセージ決定ステップによって決定された前記メッセージを出力するメッセージ出力ステップと、を有することを特徴とする。
【００１７】
また、請求項１０にかかる発明は、警備先に出動した隊員の状態を示す隊員状態信号を送信する携帯端末から送信される前記隊員状態信号を受信する信号受信ステップと、前記隊員状態信号の種別と、メッセージを出力するか否かを判断するための判断条件と、メッセージとを対応付けた判断条件情報を記憶する条件記憶手段から、前記信号受信ステップによって受信された前記隊員状態信号の種別と、前記警備先を特定する警備先識別情報と現在の警備先の状態とを対応付けた警備先状態情報を記憶する状態記憶手段に記憶された前記警備先状態情報とに基づいて、前記メッセージを決定するメッセージ決定ステップと、前記メッセージ決定ステップによって決定された前記メッセージを出力するメッセージ出力ステップと、を有することを特徴とする。
【００１８】
また、請求項１１にかかる発明は、請求項８〜１０のいずれか一つに記載された監視方法をコンピュータに実行させることを特徴とする。
【発明の効果】
【００１９】
請求項１にかかる発明によれば、信号受信手段によって、警備装置から送信された警備状態信号を受信し、メッセージ決定手段によって、条件記憶手段から、信号受信手段によって受信された警備状態信号の種別と、状態記憶手段に記憶された警備先状態情報とに基づいて、メッセージを決定し、メッセージ出力手段によって、メッセージ決定手段によって決定されたメッセージを出力することにより、監視員に対して適切な時期に、監視員の行動を促進するメッセージを出力することができるため、監視作業の質の向上を図ることができるという効果を奏する。
【００２０】
また、請求項２にかかる発明によれば、メッセージ決定手段は、さらに条件記憶手段から、信号受信手段によって受信された警備状態信号の種別と、状態記憶手段に記憶された警備先状態情報と、マスタ記憶手段に記憶された警備マスタ情報とに基づいて、メッセージを決定することにより、監視員に対して適切な時期に、監視員の行動を促進するメッセージを出力することができるため、監視作業の質の向上を図ることができるという効果を奏する。
【００２１】
また、請求項３にかかる発明によれば、信号受信手段によって、警備装置から送信された警備状態信号を受信し、状態判定手段によって、信号受信手段によって受信された警備状態信号が現在の警備状態の変更を示す場合に、状態記憶手段に記憶された現在の警備状態を変更し、メッセージ決定手段によって、状態記憶手段に記憶された退館予定時間となった際に、条件記憶手段から、状態記憶手段に記憶された現在の警備状態に基づいて、メッセージを決定し、メッセージ出力手段によって、メッセージ決定手段によって決定されたメッセージを出力することにより、予め定められた時間に警備先の現在の警備状態によって適切なメッセージを出力することができるため、監視作業の漏れを防止することができ、質の向上を図ることができるという効果を奏する。
【００２２】
また、請求項４にかかる発明によれば、信号受信手段によって、携帯端末から送信された隊員状態信号を受信し、メッセージ決定手段によって、条件記憶手段から、信号受信手段によって受信された隊員状態信号の種別と、状態記憶手段に記憶された警備先状態情報とに基づいて、メッセージを決定し、メッセージ出力手段によって、メッセージ決定手段によって決定されたメッセージを出力することにより、警備先に出動した隊員の行動に伴って、監視員の行動を促進するメッセージが出力することができるため、監視作業の質の向上を図ることができるという効果を奏する。
【００２３】
また、請求項５にかかる発明によれば、経過時間計測手段によって、信号受信手段によって隊員状態信号が受信された時点からの経過時間を計測し、メッセージ決定手段は、さらに経過時間計測手段によって計測された経過時間が予め定められた所定の時間を経過した場合に、条件記憶手段から、信号受信手段によって受信された隊員状態信号の種別と、状態記憶手段に記憶された警備先状態情報に基づいて、メッセージを決定することにより、警備先に出動した隊員の行動とその行動を開始してからの経過時間に伴って、監視員の行動を促進するメッセージが出力することができるため、監視作業の質の向上を図ることができるという効果を奏する。
【００２４】
また、請求項６にかかる発明によれば、メッセージ確認手段によって、メッセージ出力手段によって出力されたメッセージに既読である旨の情報を設定し、落着判定手段によって、信号受信手段によって隊員の出動の原因の報告が完了した状態を示す原因信号を受信した際に、状態記憶手段に記憶された出動隊員の有無が無であり、かつ、状態記憶手段に記憶された現在の警備状態が警備であり、かつ、メッセージ確認手段によってメッセージがすべて既読であると設定された場合に、警備先に対する事案が落着したと判定し、事案消去手段によって、落着判定手段によって事案の落着が確認された場合に、事案を表示する画面上から当該事案を消去することにより、所定の条件を満たした場合に、自動的に事案を画面から消去することができるため、不要な事案表示されず、監視作業の質の向上を図ることができるという効果を奏する。
【００２５】
また、請求項７にかかる発明によれば、落着判定手段は、さらに事案に対する警報を示す警報信号がすべて復旧状態であり、かつ、信号受信手段によって受信された警備先状態信号が所定の種別の信号であり、かつ、当該事案の警備先の警備領域を分割したサブアドレスに対応する事案が存在しない場合に、警備先に対する事案が落着したと判定することにより、所定の条件を満たした場合に、自動的に事案を画面から消去することができるため、不要な事案表示されず、監視作業の質の向上を図ることができるという効果を奏する。
【００２６】
また、請求項８にかかる発明によれば、信号受信ステップによって、警備装置から送信された警備先の状態を示す警備状態信号を受信し、メッセージ決定ステップによって、警備状態信号の種別とメッセージを出力するか否かを判断するための判断条件情報とメッセージとを対応付けた判断条件情報を記憶する条件記憶手段から、信号受信ステップによって受信された警備状態信号の種別と警備先を特定する警備先識別情報と現在の警備先の状態の情報とを対応付けた警備先状態情報を記憶する状態記憶手段に記憶された警備先状態情報とに基づいて、メッセージを決定し、メッセージ出力ステップによって、メッセージ決定ステップによって決定されたメッセージを出力することにより、監視員に対して適切な時期に、監視員の行動を促進するメッセージを出力することができるため、監視作業の質の向上を図ることができるという効果を奏する。
【００２７】
また、請求項９にかかる発明によれば、信号受信ステップによって、警備装置から送信された警備先の状態を示す警備状態信号を受信し、状態判定ステップによって、信号受信ステップによって受信された警備状態信号が前記現在の警備状態の変更を示す場合に、警備先を特定する警備先識別情報と現在の警備状態と退館予定時間とを対応付けた警備先状態情報を記憶する状態記憶手段に記憶された現在の警備状態を変更し、メッセージ決定ステップによって、状態記憶手段に記憶された前記退館予定時間となった際に、警備状態信号の種別と、メッセージを出力するか否かを判断するための判断条件と、メッセージとを対応付けた判断条件情報を記憶する条件記憶手段から、状態記憶手段に記憶された現在の警備状態に基づいて、メッセージを決定し、メッセージ出力ステップによって、メッセージ決定ステップによって決定されたメッセージを出力することにより、予め定められた時間に警備先の現在の警備状態によって適切なメッセージを出力することができるため、監視作業の漏れを防止することができ、質の向上を図ることができるという効果を奏する。
【００２８】
また、請求項１０にかかる発明によれば、信号受信ステップによって、警備先に出動した隊員の状態を示す隊員状態信号を送信する携帯端末から送信される隊員状態信号を受信し、メッセージ決定ステップによって、隊員状態信号の種別とメッセージを出力するか否かを判断するための判断条件とメッセージとを対応付けた判断条件情報を記憶する条件記憶手段から、信号受信ステップによって受信された隊員状態信号の種別と、警備先を特定する警備先識別情報と現在の警備先の状態とを対応付けた警備先状態情報を記憶する状態記憶手段に記憶された警備先状態情報とに基づいて、メッセージを決定し、メッセージ出力ステップによって、メッセージ決定ステップによって決定されたメッセージを出力することにより、警備先に出動した隊員の行動に伴って、監視員の行動を促進するメッセージが出力することができるため、監視作業の質の向上を図ることができるという効果を奏する。
【００２９】
また、請求項１１にかかる発明によれば、請求項８〜１０のいずれか一つに記載された監視方法をコンピュータに実行させることにより、監視員に対して適切な時期に、監視員の行動を促進するメッセージを出力することができるため、監視作業の質の向上を図ることができるという効果を奏する。また、監視作業の漏れを防止することができ、質の向上を図ることができるという効果を奏する。
【発明を実施するための最良の形態】
【００３０】
以下に添付図面を参照して、この発明にかかる監視センタ、監視方法、および監視プログラムの最良な実施の形態を詳細に説明する。なお、本発明はこれらの実施の形態に限定されるものではない。
【００３１】
（第１の実施の形態）
第１の実施の形態について、添付図面を参照して説明する。第１の実施の形態にかかる監視センタ、監視方法、および監視プログラムは、警備先に設定された警備装置から送信された警備先の状態を示す信号、例えば警報や警報に準ずる信号を監視センタが受信した場合に、受信した信号に対応して監視員が行うべき行動を促進するメッセージを画面に出力するものである。
【００３２】
まず、本発明が適用される監視センタを含む監視システムの構成例について説明する。図１は、第１の実施の形態にかかる監視センタを含む監視システムの構成を示すブロック図である。本実施の形態にかかる監視システム１は、監視センタ１００と、警備装置２００とを備え、監視センタ１００と、警備装置２００とは、電話回線、無線ネットワーク、インターネットなどのネットワーク３００を介して接続されている。
【００３３】
監視センタ１００は、警備先に設置された警備装置２００から送信される様々な信号を受信し、受信された信号に対応して監視モニタ画面に警備先の警報情報および対応状況などを示す事案として表示するとともに、監視員に対して行動を促進するメッセージを出力するものである。監視センタ１００は、さらに信号受信部１０１と、イベント判定部１０２と、設定時間判定部１０３と、画面表示部１０４と、メッセージ決定部１０５と、メッセージ出力部１０６と、判断条件設定部１０７と、警備先状態データベース１１０と、警備先マスタデータベース１２０と、判断条件データベース１３０と、メッセージデータベース１４０と、を備えている。
【００３４】
信号受信部１０１は、警備装置２００から送信された信号を受信するものである。ここで、信号とは、火災警報、シャッター制御異常警報、停電警報、通信回線切断警報などの警報、およびある定められた条件下での警備操作を監視し、警備が設定された際または警備が解除された際に送信する警報などをいう。かかる警報には、警報の種類などの警報自体の情報に加え、警報を送信した警備先の情報なども含まれる。
【００３５】
イベント判定部１０２は、信号受信部１０１によって受信された信号から信号の種別などを示すイベント情報を判定するとともに、警備先を識別する情報などを取得するものである。また、これらの情報およびこれらの情報から生成された情報を警備先状態データベース１１０に格納するものである。ここで、イベントとは、所定の信号を受信することや、所定の信号を受信した時から所定の時間が経過することによって判定される警備先の状態の変化という。このような警備先の状態の変化によって事案が発生したり、事案の状態である事態が変化したりする。例えば、受信信号には、“火災警報”や“客先セットによる警備解除”などがある。ここで、事案とは、警備装置２００から所定の信号を受信することにより発生する、警備会社による何らかの対処を必要とするものをいう。具体的な対処としては、警備先に隊員を出動させて警報の原因を確認することや警察や消防に連絡をすること等がある。
【００３６】
また、イベント判定部１０２は、信号を受信した後に所定の時間を計測するために、警備先状態データベース１１０から退館確認のための退館予定時間を取得する。ここで、退館確認とは、警備対象の建物から全員が退館し、警備がセットされる時間を予め定め、定められた時間に実際に警備がセットされているか否かを確認し、警備がセットされていない場合には、警備先に対して電話などで残業者がいるのか、単に警備をセットし忘れたのかなどを確認するサービスである。
【００３７】
警備先状態データベース１１０は、現在の警備先の状態を示す情報を規定するものである。図２は、警備先状態データベースのデータ構成の一例を示す説明図である。警備先状態データベース１１０は、警備先情報と、警備状態情報（警備会社セット）と、警備状態情報（客先セット）と、多発情報と、メモ情報と、第一警報情報と、２重発報情報と、出動隊員情報と、退館予定時間情報とを対応付けて記憶している。ここで、警備先状態データベース１１０は、本発明でいう警備先状態情報に対応する。
【００３８】
警備先情報とは、図２では、例えば“Ａ株式会社”や“Ｂ様邸”等のような警備先を一意に表す名称である。警備状態情報（警備会社セット）は、警備会社による現在の警備先の警備状態を示すものであり、例えば、警備状態の場合には“ＯＮ”、警備解除状態の場合には“ＯＦＦ”が設定されている。具体的に上述したイベント判定部１０２において、イベント情報として“警備会社セットによる警備解除”が判定された場合には、“ＯＦＦ”が格納されることになる。警備状態情報（客先セット）は、客先による現在の警備先の警備状態を示すものであり、例えば、警備状態の場合には“ＯＮ”、警備解除状態の場合には“ＯＦＦ”等が設定されている。
【００３９】
多発情報は、同一の種類の信号を所定の時間内に受信しているか否かを示すものである。メモ情報は、当日有効なメモが登録されているか否かを示すものであり、例えば、警備先の会社から予め残業する旨の連絡があれば、“残業連絡”等が登録される。第一警報情報は、監視モニタ画面に表示される事案が事前に予定されていたものか警備先から発報された警報によって発生したものかを示すものである。
【００４０】
２重発報情報は、既に受信した警報と異なる種類の警報を受信しているか否か、または他の監視領域で発生した警報を受信しているか否かを示すものである。出動隊員情報は、警備先に対して隊員を出動させているか否かを示すものである。退館予定時間情報は、上述した退館確認を行うための退館予定時刻を登録したものである。
【００４１】
設定時間判定部１０３は、退館確認のためにイベント判定部１０２によって取得された退館予定時間であるか否かを判定するものである。
【００４２】
警備先マスタデータベース１２０は、警備先との契約時に定められた警備の内容に関する情報を規定する。図３は、警備先マスタデータベースのデータ構成の一例を示す説明図である。警備先マスタデータベース１２０は、警備先識別情報と、運用状態情報と、信号業務種別情報と、警察通報情報と、消防通報情報とを対応付けて記憶している。ここで、警備先マスタデータベース１２０は、本発明でいう警備先マスタ情報に対応する。
【００４３】
警備先識別情報は、警備先を一意に表す名称である。運用状態情報とは、警備先の契約として警備の運用を行っているか否かを示すものであり、例えば“開始前”、“警備中”、“中断中”、“解約”の値が設定されている。信号業務種別情報は、業務種別を示すものである。警察通報情報は、警報を受信した際に警察への通報を行うか否かを示すものである。消防通報情報は、警報を受信した際に消防への通報を行うか否かを示すものである。
【００４４】
判断条件データベース１３０は、モニタ画面に出力するメッセージを決定するための判断条件を規定する。図４は、判断条件データベースのデータ構成の一例を示す説明図である。判断条件データベース１３０は、イベント情報と、運用状態情報と、警察通報情報と、消防通報情報と、警備状態情報（警備会社セット）と、警備状態情報（客先セット）と、多発情報と、第一警報情報と、２重発報情報と、出動隊員情報と、時間帯情報と、曜日情報と、祝祭日情報と、多発情報と、メッセージ番号情報とを対応付けて記憶している。
【００４５】
イベント情報とは、警備装置２００から送信された信号などからイベント判定部１０２によって判定されたイベント情報である。例えば、イベント情報が“全信号”とは、警備装置２００から受信したすべての信号を示すものである。また、イベント情報が“退館確認”とは、警備先状態データベース１１０に記憶されている退館予定時間であると設定時間判定部１０３によって判定された時を示すものである。
【００４６】
時間帯情報とは、警報受信などのイベント発生時が所定の時間の範囲であるか否かを判断するための条件を示す。例えば、“２１：００〜０７：００”のような値を設定し、イベント発生時が設定された時間帯であるか否かをメッセージ決定部１０５において判断する。曜日情報は、イベント発生時が所定の曜日に該当するか否かを判断するための条件を示す。
【００４７】
祝祭日情報は、イベント発生時が所定の祝祭日に該当するか否かを判断するための条件を示す。多発情報は、監視センタ全体で受信した信号と同一の種類の信号を所定の時間内に所定の件数を受信したか否かを示す。メッセージ番号情報は、判断条件に合致した場合に出力するメッセージの番号を設定するものである。なお、メッセージ番号ではなく、メッセージの文字データを直接登録し、出力してもよい。他の内容は、上述した説明を参照し、ここでの説明を省略する。
【００４８】
メッセージデータベース１４０は、モニタ画面に出力するメッセージを規定する。図５は、メッセージデータベース１４０のデータ構成の一例を示す説明図である。メッセージデータベース１４０は、メッセージ番号と、メッセージの文字データとを対応付けて記憶している。ここで、判断条件データベース１３０とメッセージデータベース１４０は、本発明でいう判断条件情報に対応する。
【００４９】
メッセージ決定部１０５は、イベント判定部１０２によって判定されたイベント情報および警備先情報、警備先状態データベース１１０に記憶されている現在の警備先の状態情報、警備先マスタデータベース１２０に記憶されている警備先の契約情報によって、判断条件データベース１３０、メッセージデータベース１４０を参照して、モニタ画面に出力するメッセージを決定するものである。メッセージ出力部１０６は、メッセージ出力部１０５によって決定されたメッセージを監視モニタ画面に出力するものである。
【００５０】
画面表示部１０４は、事案に関する情報としてイベント判定部１０２によって判定されたイベント情報、メッセージ出力部１０５によって出力されたメッセージ等を監視モニタ画面に表示するものである。なお、監視センタでは、警報である信号を受信することによって事案が“発生”し、監視モニタ画面に新たな事案が表示され、事態として“発生”が表示される。監視センタでモニタ画面を監視している監視員は、発生した事案に対して隊員の出動の“指示”等を行うと、対応する事案の事態が“指示”と表示される。
【００５１】
図６は、監視センタのモニタに表示された監視画面の一例を示す説明図である。監視モニタ画面６０には、監視員によって警備先からの警報などに対する対応を管理するために様々な情報を表示される。事案一覧６１は、現在監視区域内で発生している事案が一覧となって表示される。また、監視モニタ画面は、事案一覧６１において選択している事案６１ａに対応する警備先情報領域６２、警報情報領域６３、信号履歴情報領域６４、警備情報領域６５、メッセージ一覧領域６６から構成されている。
【００５２】
メッセージ一覧領域６６は、選択された事案６１ａの事態に対応するメッセージ６６ａおよび確認ボタン６６ｂが表示される。確認ボタン６６ｂが押下された場合には、メッセージに対する既読情報がメモリに格納される。また、選択された事案６１ａには、メッセージ欄に封筒マークが表示され、事案で発生している事態“指示”に対応するメッセージが表示されていることを表している。
【００５３】
判断条件設定部１０７は、上述したメッセージ決定部１０５でメッセージを決定するための判断条件の値を設定するものである。
【００５４】
上述のように構成されている監視センタ１００において警備装置２００から信号が送信された場合の監視処理について説明する。図７は、信号受信部、イベント判定部、画像表示部、メッセージ決定部、メッセージ出力部が行う監視処理手順を示すフローチャートである。
【００５５】
信号受信部１０１は、警備装置２００から送信された信号を受信する（ステップＳ７０１）。イベント判定部１０２は、受信した信号から、信号の種別などのイベント情報を判定し、警備先状態情報を取得して警備先状態データベース１１０に格納する（ステップＳ７０２）。画面表示部１０４は、イベント判定部１０２によって判定されたイベント情報等を監視員に通知するためにモニタ画面に表示する（ステップＳ７０３）。
【００５６】
メッセージ決定部１０５は、イベント情報、警備先状態データベース１１０に格納されている警備先の現在の状態、警備先マスタデータベース１２０に格納されている警備先の契約情報によってメッセージデータベース１４０を参照してメッセージ番号を決定する（ステップＳ７０４）。
【００５７】
メッセージ決定部１０５は、メッセージデータベース１４０に対応するメッセージ番号があるか否かを判断する（ステップＳ７０５）。すなわち、メッセージ番号として“なし”が格納されていれば、メッセージ番号はないと判断する。
【００５８】
メッセージ番号があると判断した場合には（ステップＳ７０５：Ｙｅｓ）、メッセージ出力部１０６はメッセージデータベース１４０から当該メッセージ番号に対応する文字データを取得し、モニタ画面に出力する（ステップＳ７０６）。メッセージ番号がないと判断した場合には（ステップＳ７０５：Ｎｏ）、メッセージは出力せず処理を抜ける。
【００５９】
このように、警備装置から送信された信号を受信した時点で、その信号の内容に対応した、監視員の行動を促進するメッセージが監視モニタ画面に表示されることにより、監視員は適切な指示や行動を行うことができるため、監視の質が向上することができる。
【００６０】
次に、監視センタ１００において予め設定されている退館予定時間となった場合の監視処理について説明する。図８は、イベント判定部、設定時間判定部、メッセージ決定部、メッセージ出力部が行う監視処理手順を示すフローチャートである。
【００６１】
イベント判定部１０２は、警備先状態データベース１１０に記憶された退館予定時間を取得する（ステップＳ８０１）。設定時間判定部１０３は、現在の時間が退館予定時間か否かを判断する（ステップＳ８０２）。現在の時間が退館予定時間でないと判断した場合には（ステップＳ８０２：Ｎｏ）、退館予定時間までステップＳ８０２での判断を繰り返す。
【００６２】
現在の時間が退館予定時間であると判断した場合には（ステップＳ８０２：Ｙｅｓ）、メッセージ決定部１０５は警備先状態データベース１１０、警備先マスタデータベース１２０の値によって、判断条件データベース１３０を参照し、メッセージ番号を決定する（ステップＳ８０３）。具体的には、警備先状態データベース１１０での警備先、例えば、Ａ株式会社の警備状態（客先セット）が“ＯＦＦ”であり、判断条件データベース１３０のイベント“退館確認”の判断値が、警備状態（客先セット）が“ＯＦＦ”で、他の判断値が“−”である場合には、メッセージを出力する条件に一致することになるため、メッセージ番号“８”が決定する。
【００６３】
メッセージ決定部１０５は、判断条件データベース１３０で出力するメッセージ番号があるかないかを判断する（ステップＳ８０４）。出力するメッセージ番号があると判断した場合には（ステップＳ８０４：Ｙｅｓ）、メッセージ出力部１０６はメッセージデータベース１４０からメッセージの文字データを参照し、モニタ画面にメッセージを出力する（ステップＳ８０５）。出力するメッセージ番号がないと判断した場合には（ステップＳ８０４：Ｎｏ）、メッセージは出力せず、処理を抜ける。
【００６４】
このように、個々の警備先ごとに設定された退館予定時間に客先による警備状態のセットが“ＯＮ”となっていない場合にのみメッセージを出力することにより、退館確認の漏れを防止することができるため、監視の質を向上することができる。
【００６５】
さらに、監視センタ１００において判断条件およびメッセージを登録する登録処理について説明する。図９は、判断条件設定部が行う判断条件登録処理手順を示すフローチャートである。
【００６６】
判断条件設定部１０７は、設定画面から、イベントごとに判断条件の入力を受付ける（ステップＳ９０１）。判断条件設定部１０７は、入力された判断条件およびメッセージを判断条件データベース１３０およびメッセージデータベース１４０に格納する（ステップＳ９０２）。
【００６７】
このように、設定画面から判断条件とそれに伴う出力メッセージを設定することにより、設定したい判断条件に従って出力するメッセージを容易に設定、変更することができるため、監視員に対して適切な行動を促すことができる。
【００６８】
本実施の形態の監視センタは、ＣＰＵなどの制御装置と、ＲＯＭ（Read Only Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００６９】
また、本実施形態の監視センタで実行される監視プログラムを、インターネット等のネットワークに接続されたコンピュータ上に格納し、ネットワーク経由でダウンロードさせることにより提供するように構成してもよい。また、本実施形態の監視センタで実行される監視プログラムをインターネット等のネットワーク経由で提供または配布するように構成してもよい。
【００７０】
また、本実施形態の監視プログラムを、ＲＯＭ等に予め組み込んで提供するように構成してもよい。
【００７１】
本実施形態の監視センタで実行される監視プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７２】
本実施の形態の監視センタで実行される監視プログラムは、上述した各部（信号受信部、イベント判定部、設定時間判定部、画像表示部、メッセージ決定部、メッセージ出力部、判断条件設定部など）を含むモジュール構成となっており、実際のハードウェアとしてはＣＰＵ（プロセッサ）が上記記憶媒体から監視プログラムを読み出して実行することにより上記各部が主記憶装置上にロードされ、信号受信部、イベント判定部、設定時間判定部、画像表示部、メッセージ決定部、メッセージ出力部、判断条件設定部などが主記憶装置上に生成されるようになっている。
【００７３】
なお、警備先状態データベース１１０、警備先マスタデータベース１２０、判断条件データベース１３０、およびメッセージデータベース１４０は、ＨＤＤ（Hard Disk Drive）、光ディスク、メモリカードなどの一般的に利用されているあらゆる記憶媒体により構成することができる。
【００７４】
（第２の実施の形態）
第２の実施の形態について、添付図面を参照して説明する。第２の実施の形態にかかる監視センタ、監視方法、および監視プログラムは、警備先に出動した隊員が携帯する携帯端末から送信された信号、すなわち隊員の状態に関する情報を、監視センタが受信した場合に、受信した信号に対応して監視員が行うべき行動を促進するメッセージを画面に出力するものである。
【００７５】
本発明が適用される監視システムの構成例について説明する。図１０は、第２の実施の形態にかかる監視センタを含む監視システムの構成を示すブロック図である。本実施の形態にかかる監視システム２は、監視センタ１１００と、警備装置２００と、携帯端末４００と、を備え、監視センタ１１００と、警備装置２００と、携帯端末４００とは、電話回線、無線ネットワーク、インターネットなどのネットワーク３００を介して接続されている。
【００７６】
監視センタ１１００は、第１の実施の形態で記載した機能に加え、出動した隊員が携帯した携帯端末４００から送信される隊員の状態を示す信号を受信し、受信された信号に対応してモニタ画面に警備先の警報情報および対応状況などを表示するとともに、監視センタ１１００で監視を行っている監視員に対して行動を促進するメッセージを出力するものである。
【００７７】
監視センタ１１００は、さらに信号受信部１０１と、イベント判定部１１０２と、経過時間計測部１１０３と、画面表示部１０４と、メッセージ決定部１０５と、メッセージ出力部１０６と、判断条件設定部１０７と、警備先状態データベース１１０と、警備先マスタデータベース１２０と、判断条件データベース１３０と、メッセージデータベース１４０と、隊員情報データベース１１５０とを備えている。
【００７８】
ここで、信号受信部１０１と、画面表示部１０４と、メッセージ決定部１０５と、メッセージ出力部１０６と、判断条件設定部１０７と、警備先状態データベース１１０と、警備先マスタデータベース１２０と、判断条件データベース１３０と、メッセージデータベース１４０の構成、機能は、第１の実施の形態と同様であるので、説明を省略する。
【００７９】
イベント判定部１１０２は、第１の実施の形態で記載した機能に加え、携帯端末４００から送信された信号から、隊員識別情報および隊員状態情報などを取得し、隊員情報データベース１１５０に格納するものである。
【００８０】
経過時間計測部１１０３は、イベント判定部１１０２で隊員状態情報を受信した時点からの経過時間を計測するものである。
【００８１】
隊員情報データベース１１５０は、隊員に関する情報を規定する。図１１は、隊員情報データベースのデータ構成の一例を示す説明図である。隊員情報データベース１１５０は隊員識別情報と、隊員状態情報と、出動先情報を対応付けて記憶している。
【００８２】
ここで、隊員とは、警備装置２００から監視センタ１１００に警報情報が送信された場合に、警備装置２００が設置されている警備先に出動して監視センタ１１００に送信された警報情報に対応する者である。隊員状態情報とは、警備先に出動した隊員の状態を示すものであり、具体的には、“直行”、“現着”、“入館”、“退館”、“原因”の各状態がある。
【００８３】
現着とは、隊員が警備先に到着した状態を示すものである。入館とは、隊員が警備先の建物に進入している状態を示し、退館は隊員が警備先の建物から退出した状態を示すものである。原因とは、隊員によって警報情報の原因を監視センタ１１００に送信した状態を示すものである。
【００８４】
携帯端末４００は、隊員が所持するものであり、隊員の現在の状態を監視センタ１１００に送信するものである。例えば、携帯電話や専用のデータ送受信機などを用いる。
【００８５】
次に、以上のように構成されている監視センタによる監視処理について説明する。図１２−１、図１２−２は、信号受信部、イベント判定部、画像表示部、メッセージ決定部、メッセージ出力部が行う監視処理手順を示すフローチャートである。
【００８６】
信号受信部１０１は、隊員が携帯している携帯端末４００から送信された信号を受信する（ステップＳ１３０１）。イベント判定部１１０２は、受信した信号から、隊員識別情報、隊員状態情報、および出動先情報を取得し、隊員情報データベース１１５０に格納する（ステップＳ１３０２）。画面表示部１０４は、イベント判定部１０２が取得した情報を監視員に通知するために、モニタ画面に表示する（ステップＳ１３０３）。
【００８７】
メッセージ決定部１０５は、受信した信号の種別、警備先状態データベース１１０に格納されている警備先の現在の状態、警備先マスタデータベース１２０に格納されている警備先の契約情報によって、メッセージデータベース１４０を参照し、メッセージ番号を決定する（ステップＳ１３０４）。
【００８８】
メッセージ決定部１０５は、メッセージデータベース１４０に対応するメッセージ番号があるか否かを判断する（ステップＳ１３０５）。メッセージ番号があると判断した場合には（ステップＳ１３０５：Ｙｅｓ）、メッセージ出力部１０６はメッセージデータベース１４０から当該メッセージ番号に対応する文字データを取得し、モニタ画面に出力する（ステップＳ１３０６）。メッセージ番号がないと判断した場合には（ステップＳ１３０５：Ｎｏ）、メッセージは出力せず処理を抜ける。
【００８９】
信号受信部１０１は、隊員が携帯している携帯端末４００から信号を受信したか否かを判断する（ステップＳ１３０７）。携帯端末４００から信号を受信したと判断した場合には（ステップＳ１３０７：Ｙｅｓ）、ステップＳ１３０１に戻る。携帯端末４００から信号を受信しないと判断した場合には（ステップＳ１３０７：Ｎｏ）、経過時間計測部１１０３が所定の時間が経過したか否かを判断する（ステップＳ１３０８）。所定の時間が経過しないと判断した場合には（ステップＳ１３０８：Ｎｏ）、ステップＳ１３０７に戻る。
【００９０】
所定の時間が経過したと判断した場合には（ステップＳ１３０８：Ｙｅｓ）、メッセージ決定部１０５がイベントとして“隊員状態＋タイムオーバ”、警備先状態データベース１１０に格納されている警備先の現在の状態、警備先マスタデータベース１２０に格納されている警備先の契約情報によって、メッセージデータベース１４０を参照し、メッセージ番号を決定する（ステップＳ１３０９）。
【００９１】
メッセージ決定部１０５は、メッセージデータベース１４０に対応するメッセージ番号があるか否かを判断する（ステップＳ１３１０）。メッセージ番号があると判断した場合には（ステップＳ１３１０：Ｙｅｓ）、メッセージ出力部１０６はメッセージデータベース１４０から当該メッセージ番号に対応する文字データを取得し、モニタ画面に出力する（ステップＳ１３１１）。メッセージ番号がないと判断した場合には（ステップＳ１３１０：Ｎｏ）、メッセージは出力せず処理を抜ける。
【００９２】
このように、隊員が携帯する携帯端末から現在の隊員状態情報を送信された時に、監視センタで監視している監視員に対して行動を促進するメッセージを表示することにより、監視員は経験によらず適切な対応を取ることができるため、監視の質の向上を図ることができる。
【００９３】
また、携帯端末から現在の隊員状態情報を受信後、所定の時間が経過した際に、監視センタで監視している監視員に対して行動を促進するメッセージを表示することにより、監視員の行動に漏れをなくし、適切な対応を取ることができるため、監視の質の向上を図ることができる。例えば、隊員が警備先の建物に入館した場合に、所定の時間が経過した時点で隊員に対する確認を求めるメッセージが出力されることによって、侵入者に襲撃された場合などの不測の事態に迅速に対応することができるため、隊員の安全にも寄与する。
【００９４】
また、適切な時期に適切なメッセージが出力されるため、監視対象数を増加しても対応が可能となり、監視効率の向上を図ることができる。
【００９５】
なお、本実施の形態の監視センタは、上述した第１の実施の形態と同様に、通常のコンピュータを利用したハードウェア構成であり、上述した提供方法によって提供される。さらに、隊員情報データベース１１５０は、ＨＤＤ（Hard Disk Drive）、光ディスク、メモリカードなどの一般的に利用されているあらゆる記憶媒体により構成することができる。
【００９６】
また、本実施の形態の監視センタで実行される監視プログラムは、上述した第１の実施の形態と同様に、各部を含むモジュール構成となっており、実際のハードウェアとしてはＣＰＵ（プロセッサ）が上記記憶媒体から監視プログラムを読み出して実行することにより上記各部が主記憶装置上にロードされ、主記憶装置上に生成されるようになっている。
【００９７】
（第３の実施の形態）
第３の実施の形態について、添付図面を参照して説明する。第３の実施の形態にかかる監視システム、監視方法、および監視プログラムは、警備先から送信された警報情報によって発生した事案を所定の条件を満たす場合に、自動的に落着と判断して監視モニタ画面から消去するものである。ここで、落着とは、発生した事案に対する対応が完了したことを示すものである。
【００９８】
本発明が適用される監視システムの構成例について説明する。図１３は、第３の実施の形態にかかる監視センタを含む監視システムの構成を示すブロック図である。本実施の形態にかかる監視システム３は、監視センタ１４００と、警備装置２００と、携帯端末４００とを備え、監視センタ１４００と、警備装置２００と、携帯端末４００とは、電話回線、無線ネットワーク、インターネットなどのネットワーク３００を介して接続されている。
【００９９】
監視センタ１４００は、第１および第２の実施の形態で述べた機能に加え、監視モニタ画面に表示されている事案が一定の条件を満たす場合に、自動的に事案が完了したと判断し、監視モニタ画面から当該事案の表示を消去するものである。
【０１００】
監視センタ１４００は、さらに信号受信部１０１と、イベント判定部１０２と、設定時間判定部１０３と、画面表示部１４０４と、メッセージ決定部１０５と、メッセージ出力部１０６と、判断条件設定部１０７と、落着判定部１４０８と、警備先状態データベース１１０と、警備先マスタデータベース１２０と、判断条件データベース１３０と、メッセージデータベース１４０と、隊員情報データベース１４５０とを備えている。
【０１０１】
ここで、信号受信部１０１と、イベント判定部１０２と、設定時間判定部１０３と、メッセージ決定部１０５と、メッセージ出力部１０６と、判断条件設定部１０７と、警備先状態データベース１１０と、警備先マスタデータベース１２０と、判断条件データベース１３０と、メッセージデータベース１４０の構成、機能は、第１または第２の実施の形態と同様であるので、説明を省略する。
【０１０２】
落着判定部１４０８は、監視モニタ画面に表示された事案に対して、所定の条件を満たすか否かを判断することにより、当該事案が落着したか否かを判定するものである。
【０１０３】
画面表示部１４０４は、第１および第２の実施の形態で述べた機能に加え、落着判定部１４０８によって事案が落着したと判定された場合に、監視モニタ画面から落着した事案を消去するものである。
【０１０４】
隊員情報データベース１４５０は、隊員に関する情報を規定する。図１４は、隊員情報データベースのデータ構成の一例を示す説明図である。隊員情報データベース１４５０は隊員識別情報と、隊員状態情報と、出動先情報を対応付けて記憶し、隊員状態情報はさらに基本情報と、詳細情報とを持つ。ここで、詳細情報とは、隊員状態情報が“退館”の場合に、さらに退館の区分を示すものであり、例えば、“通常”や“契約先申し送り”などの情報を携帯端末４００から取得し、格納する。なお、隊員情報データベース１４５０は、隊員状態情報を最新の情報だけではなく、履歴情報も保持している。
【０１０５】
次に、以上のように構成されている監視センタによる監視処理について説明する。図１５−１、図１５−２は、信号受信部、イベント判定部、画像表示部、メッセージ決定部、メッセージ出力部が行う監視処理手順を示すフローチャートである。
【０１０６】
信号受信部１０１は、隊員が携帯する携帯端末４００から送信された信号を受信する（ステップＳ１６０１）。イベント判定部１０２は、受信した信号から隊員状態情報が“原因”であるか否かを判断する（ステップＳ１６０２）。隊員状態情報が“原因”でないと判断した場合には（ステップＳ１６０２：Ｎｏ）、ステップＳ１６０１に戻る。
【０１０７】
隊員状態情報が“原因”であると判断した場合には（ステップＳ１６０２：Ｙｅｓ）、落着判定部１４０８は警備先状態データベース１１０を検索して、出動隊員が存在しないか存在するかを判断する（ステップＳ１６０３）。具体的には、警備先状態データベース１１０の出動隊員情報を取得し、判断する。出動隊員が存在すると判断した場合には（ステップＳ１６０３：Ｎｏ）、ステップＳ１６０１に戻る。
【０１０８】
出動隊員が存在しないと判断した場合には（ステップＳ１６０３：Ｙｅｓ）、落着判定部１４０８は警備状態が所定の状態であるか否かを判断する（ステップＳ１６０４）。例えば、隊員情報データベース１１５０の隊員状態情報の基本情報“退館”に対応する詳細情報が“通常”であり、かつ、警備先状態データベース１１０の警備状態（警備会社セット）が“ＯＮ”で、警備状態（客先セット）が“ＯＮ”の場合には、適切に警備操作が行われているため、所定の状態であると判断される。警備状態が所定の状態でないと判断した場合には（ステップＳ１６０４：Ｎｏ）、ステップＳ１６０１に戻る。
【０１０９】
警備状態が所定の状態であると判断した場合には（ステップＳ１６０４：Ｙｅｓ）、落着判定部１４０８は出力されたメッセージがすべて既読であるか否かを判断する（ステップＳ１６０５）。出力されたメッセージがすべて既読でないと判断した場合には（ステップＳ１６０５：Ｎｏ）、ステップＳ１６０１に戻る。
【０１１０】
出力されたメッセージがすべて既読であると判断した場合には（ステップＳ１６０５：Ｙｅｓ）、落着判定部１４０８は発生している事案の業務が“一般”であるか否かを判断する（ステップＳ１６０６）。具体的には、警備先マスタデータベース１２０の信号業務種別情報を取得し、判断する。発生している事案の業務が“一般”でないと判断した場合には（ステップＳ１６０６：Ｎｏ）、ステップＳ１６１０に進む。
【０１１１】
発生している事案の業務が“一般”であると判断した場合には（ステップＳ１６０６：Ｙｅｓ）、落着判定部１４０８は事案発生中に受信した警報がすべて復旧したか否かを判断する（ステップＳ１６０７）。例えば、事案発生中に“火災警報”および“停電警報”が発生した場合には、“火災警報”および“停電警報”のそれぞれに対する復旧信号を受信したか否かを確認し、すべての警報に対応する復旧信号を受信した場合には復旧したと判断する。また、復旧信号がない警報については、携帯端末から“原因”を受信した場合に、復旧したと判断する。事案発生中に受信した警報がすべて復旧していないと判断した場合には（ステップＳ１６０７：Ｎｏ）、ステップＳ１６０１に戻る。
【０１１２】
事案発生中に受信した警報がすべて復旧したと判断した場合には（ステップＳ１６０７：Ｙｅｓ）、落着判定部１４０８は最終信号が所定の信号であるか否かを判断する（ステップＳ１６０８）。かかる判断は、警備先マスタデータベース１２０の機種情報が“公衆回線のアラームセンタ”である場合に判断されるものである。これは、公衆回線を用いて警報を送信する場合に、故障などで無限に信号を送信する場合に多額の通信料が必要となるため、一定の回数の信号を送信後は、信号の送信を中止する機能を有している。よって、最終信号が警報以外であるか否かを判断することによって、警備先から警報が送信されていないことを確認して落着の判断条件としている。最終信号が所定の信号でないと判断した場合には（ステップＳ１６０８：Ｎｏ）、ステップＳ１６０１に戻る。
【０１１３】
最終信号が所定の信号であると判断した場合には（ステップＳ１６０８：Ｙｅｓ）、落着判定部１４０８はサブ事案が存在しないか否かを判断する（ステップＳ１６０９）。ここで、サブ事案とは、当該事案の警備先の警備領域を分割したサブアドレスに対応する事案をいう。すなわち、１つの事案に対して複数のサブ事案が存在する場合、例えば、１つの建物の各フロアをサブ事案としている場合に、各サブ事案について警報が復旧しない状態で落着と判断すると不具合が生じるために、かかる判断を行っているものである。サブ事案が存在すると判断した場合には（ステップＳ１６０９：Ｎｏ）、ステップＳ１６０１に戻る。
【０１１４】
サブ事案が存在しないと判断した場合には（ステップＳ１６０９：Ｙｅｓ）、画面表示部１４０４は監視モニタ画面から当該事案を消去する（ステップＳ１６１０）。
【０１１５】
このように、所定の条件を満たす事案については自動的に落着を判断し、監視画面から事案が消去されることにより、監視員の操作負担を軽減することができる。
【０１１６】
なお、本実施の形態の監視センタは、上述した第１および第２の実施の形態と同様に、通常のコンピュータを利用したハードウェア構成であり、上述した提供方法によって提供される。
【０１１７】
また、本実施の形態の監視センタで実行される監視プログラムは、上述した第１および第２の実施の形態と同様に、各部を含むモジュール構成となっており、実際のハードウェアとしてはＣＰＵ（プロセッサ）が上記記憶媒体から監視プログラムを読み出して実行することにより上記各部が主記憶装置上にロードされ、主記憶装置上に生成されるようになっている。
【０１１８】
なお、上述した第１〜第３の実施の形態に記載された機能、構成は、それぞれ自由に組合せて実施することができる。
【図面の簡単な説明】
【０１１９】
【図１】第１の実施の形態にかかる監視センタを含む監視システムの構成を示すブロック図である。
【図２】警備先状態データベースのデータ構成の一例を示す説明図である。
【図３】警備先マスタデータベースのデータ構成の一例を示す説明図である。
【図４】判断条件データベースのデータ構成の一例を示す説明図である。
【図５】メッセージデータベース１４０のデータ構成の一例を示す説明図である。
【図６】監視センタのモニタに表示された監視画面の一例を示す説明図である。
【図７】信号受信部、イベント判定部、画像表示部、メッセージ決定部、メッセージ出力部が行う監視処理手順を示すフローチャートである。
【図８】イベント判定部、設定時間判定部、メッセージ決定部、メッセージ出力部が行う監視処理手順を示すフローチャートである。
【図９】判断条件設定部が行う判断条件登録処理手順を示すフローチャートである。
【図１０】第２の実施の形態にかかる監視センタを含む監視システムの構成を示すブロック図である。
【図１１】隊員情報データベースのデータ構成の一例を示す説明図である。
【図１２−１】信号受信部、イベント判定部、画像表示部、メッセージ決定部、メッセージ出力部が行う監視処理手順を示すフローチャートである。
【図１２−２】信号受信部、イベント判定部、画像表示部、メッセージ決定部、メッセージ出力部が行う監視処理手順を示すフローチャートである。
【図１３】第３の実施の形態にかかる監視センタを含む監視システムの構成を示すブロック図である。
【図１４】隊員情報データベースのデータ構成の一例を示す説明図である。
【図１５−１】信号受信部、イベント判定部、画像表示部、メッセージ決定部、メッセージ出力部が行う監視処理手順を示すフローチャートである。
【図１５−２】信号受信部、イベント判定部、画像表示部、メッセージ決定部、メッセージ出力部が行う監視処理手順を示すフローチャートである。
【符号の説明】
【０１２０】
１  ２  ３  監視システム
１００  １１００  １４００  監視センタ
１０１  信号受信部
１０２  １１０２  イベント判定部
１０３  設定時間判定部
１１０３  経過時間計測部
１０４  １４０４  画面表示部
１０５  メッセージ決定部
１０６  メッセージ出力部
１０７  判断条件設定部
１４０８  落着判定部
１１０  警備先状態データベース
１２０  警備先マスタデータベース
１３０  判断条件データベース
１４０  メッセージデータベース
１１５０  隊員情報データベース
２００  警備装置
３００  ネットワーク
４００  携帯端末
【図１】
2007183753.tif 000003
【図２】
2007183753.tif 000004
【図３】
2007183753.tif 000005
【図４】
2007183753.tif 000006
【図５】
2007183753.tif 000007
【図６】
2007183753.tif 000008
【図７】
2007183753.tif 000009
【図８】
2007183753.tif 000010
【図９】
2007183753.tif 000011
【図１０】
2007183753.tif 000012
【図１１】
2007183753.tif 000013
【図１２−１】
2007183753.tif 000014
【図１２−２】
2007183753.tif 000015
【図１３】
2007183753.tif 000016
【図１４】
2007183753.tif 000017
【図１５−１】
2007183753.tif 000018
【図１５−２】
2007183753.tif 000019